(57)【要約】      （修正有）【課題】光電子モジュールに含まれる光インタフェースの係合を維持することができる光学モジュールのラッチおよびＥＭＩ遮蔽機構を提供する。【解決手段】プラグ着脱式アクティブ光ケーブル製品１００は、複数の光ファイバ１２０を光インタフェース１５５に接続するレンズ接続部１２４、レンズ接続部を付勢して光インタフェースに接続する圧縮力を加えるようにレンズ接続部および光インタフェースを囲むよう構成されたクリップ１４５、レンズ接続部、光インタフェースおよびクリップを収容する底部シェル１３０、ならびに、レンズ接続部、光インタフェースおよびクリップの筐体を形成するように底部シェルと組み付けられると、底部シェルの表面上に配置されるように構成された上側シェル１４０を含む。【選択図】図２
2020003797.tif 000002
【特許請求の範囲】
【請求項１】
プラグ着脱式アクティブ光ケーブル製品であって、前記プラグ着脱式アクティブ光ケーブル製品の光電子モジュールに含まれる光インタフェースの係合を維持するように構成されたプラグ着脱式アクティブ光ケーブル製品において、
複数の光ファイバを前記光インタフェースに接続するレンズ接続部と、
矩形状でかつ帯状を有し、前記レンズ接続部を付勢して前記光インタフェースに接続する圧縮力を加えるように前記レンズ接続部および前記光インタフェースを囲むよう構成されたクリップであって、前記クリップは凹状の表面及び複数の凸状の表面を含む後面を有し、前記複数の凸状の表面は前記クリップの内部から外方に膨らみ、前記凹状の表面は前記複数の凸状の表面の間に形成されているクリップと、
前記レンズ接続部、前記光インタフェースおよび前記クリップを収容する底部シェルと、
前記レンズ接続部、前記光インタフェースおよび前記クリップの筐体を形成するように前記底部シェルと組み付けられると前記底部シェルの表面上に配置されるように構成された上部シェルと
を備える、プラグ着脱式アクティブ光ケーブル製品。
【請求項２】
請求項１に記載のプラグ着脱式アクティブ光ケーブル製品において、
前記レンズ接続部は、ＭＴフェルールを含み、
前記光インタフェースは、光送受信機からの光信号を前記レンズ接続部に方向付けるレンズを含む、プラグ着脱式アクティブ光ケーブル製品。
【請求項３】
請求項１に記載のプラグ着脱式アクティブ光ケーブル製品において、
前記レンズ接続部は、更に、前記複数の光ファイバを包囲するケーブルブーツ部を含み、
前記ケーブルブーツ部は、フェルール、ならびに、前記フェルールおよび前記複数の光ファイバが移動することを防止するように前記底部シェルまたは前記上部シェルのうちの少なくとも一方の一部に係合するケーブルロック機構を含む、プラグ着脱式アクティブ光ケーブル製品。
【請求項４】
請求項３に記載のプラグ着脱式アクティブ光ケーブル製品において、
前記ケーブルロック機構は、前記プラグ着脱式アクティブ光ケーブル製品が組み付けられるとケーブルブーツの両側から延びるとともに前記底部シェルに形成されたスロットに収容されて係合する一対の傾斜したプロングを含む、プラグ着脱式アクティブ光ケーブル製品。
【請求項５】
請求項３に記載のプラグ着脱式アクティブ光ケーブル製品は、更に、
前記上部シェルおよび前記底部シェルの内部に配置される電磁干渉遮蔽材料を含む、プラグ着脱式アクティブ光ケーブル製品。
【請求項６】
請求項５に記載のプラグ着脱式アクティブ光ケーブル製品において、
前記電磁干渉遮蔽材料は、前記レンズ接続部と前記ケーブルブーツ部との間で前記上部シェルおよび前記底部シェルの内部において前記光ファイバの上面に配置される電磁干渉遮蔽ガスケットを含む、プラグ着脱式アクティブ光ケーブル製品。
【請求項７】
請求項６に記載のプラグ着脱式アクティブ光ケーブル製品において、
前記電磁干渉遮蔽材料は、更に、前記レンズ接続部と前記ケーブルブーツ部との間で前記上部シェルおよび前記底部シェルの内部に配置されるとともに前記上部シェルが前記底部シェル上に組み付けられると前記上部シェルの内面に形成されたリブによって圧縮される電磁干渉遮蔽テープを含む、プラグ着脱式アクティブ光ケーブル製品。
【請求項８】
請求項７に記載のプラグ着脱式アクティブ光ケーブル製品において、
前記電磁干渉遮蔽材料は、更に、前記複数の光ファイバが延びる方向に対して平行な方向に前記レンズ接続部と前記ケーブルブーツ部との間で前記上部シェルおよび前記底部シェルの内部の各側に沿って配置される電磁干渉遮蔽ペーストを含む、プラグ着脱式アクティブ光ケーブル製品。
【請求項９】
請求項１に記載のプラグ着脱式アクティブ光ケーブル製品は、更に、
ラッチ機構を備え、前記ラッチ機構は、
軸を中心に回転するように構成されたドライバと、
前記ドライバに動作可能に接続されるフォロワであって、前記ドライバに面しない斜面をそれぞれ含む一対のフォロワアーム、および、電子デバイスがホストデバイスから取り外されることを防止すべく前記ホストデバイスに係合するよう構成され、前記ドライバに面する肩部を含むフォロワとを含み、
前記ドライバは、前記ドライバが前記フォロワを前記電子デバイスの正面から軸方向に離れるように摺動させると、前記フォロワを前記電子デバイスの正面に向けて軸方向に摺動させるように構成され、
前記ドライバは、前記ドライバがラッチ位置に位置決めされているときより
も、前記ドライバがラッチ解除位置に位置決めされているときに、前記フォロワを前記電子デバイスの正面から軸方向に離れるように位置決めすべく構成されている、プラグ着脱式アクティブ光ケーブル製品。
【請求項１０】
一体化されたアクティブ光ケーブルおよび光電子モジュールであって、
ホストデバイスのポートとインタフェースする光インタフェースと、
複数の光ファイバを前記光インタフェースに接続するレンズ接続部と、
矩形状でかつ帯状を有し、前記レンズ接続部を付勢して前記光インタフェースに接続する圧縮力を加えるように前記レンズ接続部および前記光インタフェースを囲むよう構成されたクリップであって、前記クリップは凹状の表面及び複数の凸状の表面を含む後面を有し、前記複数の凸状の表面は前記クリップの内部から外方に膨らみ、前記凹状の表面は前記複数の凸状の表面の間に形成されているクリップと、
前記レンズ接続部、前記光インタフェースおよび前記クリップを収容する底部シェルと、
前記レンズ接続部、前記光インタフェースおよび前記クリップの筐体を形成するように前記底部シェルと組み付けられると前記底部シェルの表面上に配置されるように構成された上部シェルと
軸を中心に回転するように構成されたラッチ機構であって、前記ラッチ機構がラッチ位置にあるときは前記ホストデバイスに係合し、前記ラッチ機構がラッチ解除位置にあるときは前記ホストデバイスと離脱する一対のフォロワアームを備えるラッチ機構と
を備える、一体化されたアクティブ光ケーブルおよび光電子モジュール。
【請求項１１】
請求項１０に記載の一体化されたアクティブ光ケーブルにおいて、
前記レンズ接続部は、ＭＴフェルールを含み、
前記光インタフェースは、光送受信機からの光信号を前記レンズ接続部に方向付けるレンズを含む、一体化されたアクティブ光ケーブル。
【請求項１２】
請求項１０に記載の一体化されたアクティブ光ケーブルにおいて、
前記レンズ接続部は、更に、前記複数の光ファイバを包囲するケーブルブーツ部を備え、
前記ケーブルブーツ部は、フェルール、ならびに、前記フェルールおよび前記複数の光ファイバが移動することを防止するように前記底部シェルまたは前記上部シェルのうちの少なくとも一方の一部に係合するケーブルロック機構を含む、一体化されたアクティブ光ケーブル。
【請求項１３】
請求項１２に記載の一体化されたアクティブ光ケーブルにおいて、
前記ケーブルロック機構は、ケーブルブーツの両側から延びるとともに前記底部シェルに形成されるスロットに収容されて係合する一対の傾斜したプロングを含む、一体化されたアクティブ光ケーブル。
【請求項１４】
請求項１２に記載の一体化されたアクティブ光ケーブルは、更に、
前記上部シェルおよび前記底部シェルの内部に配置される電磁干渉遮蔽材料を含む、一体化されたアクティブ光ケーブル。
【請求項１５】
請求項１４に記載の一体化されたアクティブ光ケーブルにおいて、
前記電磁干渉遮蔽材料は、前記レンズ接続部と前記ケーブルブーツ部との間で前記上部シェルおよび前記底部シェルの内部において前記光ファイバの上面に配置される電磁干渉遮蔽ガスケットを含む、一体化されたアクティブ光ケーブル。
【請求項１６】
請求項１５に記載の一体化されたアクティブ光ケーブルにおいて、
前記電磁干渉遮蔽材料は、更に、前記レンズ接続部と前記ケーブルブーツ部との間で前記上部シェルおよび前記底部シェルの内部に配置されるとともに前記上部シェルが前記底部シェル上に組み付けられると前記上部シェルの内面に形成されたリブによって圧縮される電磁干渉遮蔽テープを含む、一体化されたアクティブ光ケーブル。
【請求項１７】
請求項１６に記載の一体化されたアクティブ光ケーブルにおいて、
前記電磁干渉遮蔽材料は、更に、前記複数の光ファイバが延びる方向に対して平行な方向に前記レンズ接続部と前記ケーブルブーツ部との間で前記上部シェルおよび前記底部シェルの内部の各側に沿って配置される電磁干渉遮蔽ペーストを含む、一体化されたアクティブ光ケーブル。
【請求項１８】
請求項１０に記載の一体化されたアクティブ光ケーブルにおいて、
前記ラッチ機構は、
軸を中心に回転するように構成されたドライバと、
前記ドライバに動作可能に接続されるフォロワであって、前記ドライバに面しない斜面をそれぞれ含む一対のフォロワアーム、および、電子デバイスが前記ホストデバイスから取り外されることを防止すべく前記ホストデバイスに係合するよう構成され、前記ドライバに面する肩部を含むフォロワとを含み、
前記ドライバは、前記ドライバが前記ラッチ解除位置から前記ラッチ位置に摺動すると、前記フォロワを前記電子デバイスの正面に向けて軸方向に摺動させ、前記ドライバが前記ラッチ位置から前記ラッチ解除位置に摺動すると、前記フォロワを前記電子デバイスの正面から軸方向に離れるように摺動させるべく構成され、
前記ドライバは、前記ドライバが前記ラッチ位置に位置決めされているときよりも、前記ドライバが前記ラッチ解除位置に位置決めされているときに、前記フォロワを前記電子デバイスの正面から軸方向に離れるように位置決めすべく構成されている、一体化されたアクティブ光ケーブル。
【請求項１９】
請求項１に記載のプラグ着脱式アクティブ光ケーブル製品を備える、光電子システム。
【請求項２０】
請求項１０に記載の前記一体化されたアクティブ光ケーブルおよび前記光電子モジュールを備える、光電子システム。
【発明の詳細な説明】
【技術分野】
【０００１】
本明細書に開示の実施形態は、光学構成要素に関する。特に、本明細書に記載の実施形態は、光電子モジュールとともに使用可能なラッチおよび電磁干渉（ＥＭＩ）遮蔽機構に関する。
【背景技術】
【０００２】
光ファイバ伝送媒体は、光信号、音声信号およびデータ信号を伝送するためにますます使用されている。伝送手段として、光は、従来の電気通信技術よりも多くの利点を提供する。例えば、光信号は、極めて高い伝送速度および非常に高い帯域幅を可能にする。また、光信号は、電気信号における電磁妨害（「ＥＭＩ」）をもたらす電磁放射による影響を受けない。光信号は、より確実な信号も提供する。これは、光ファイバ等の光伝送媒体が、ワイヤーベースの伝送システムにおける電気信号で生じるように信号の部分が光ファイバから逃げるかまたは取り出されることを許容しないためである。光信号は、比較的長い距離にわたって、そのような距離にわたる電気信号の伝送に通常は関連する信号損失を受けることなく、伝送される。
【０００３】
光通信は多くの利点を提供するが、データ伝送手段としての光の使用は、多くの実施の課題を有している。例えば、光信号によって表されるデータは、受信および処理される前や、受信または処理される前に、電気形態に変換しなければならない。同様に、データ信号は、光ネットワーク上に伝送される前に、電子形態から光形態に変換しなければならない。
【０００４】
これらの変換プロセスは、光ファイバの両端に位置する光学送受信モジュールによって実施される。典型的な光学送受信モジュールは、電気信号を光信号に変換可能なレーザ送信回路と、受信した光信号を電気信号に変換可能な光受信器とを含む。光学送受信モジュールは、互換性のある接続ポートを介して、ホストコンピュータ、スイッチングハブ、ネットワークルータ、スイッチボックスまたはコンピュータＩ／Ｏ等のホストデバイスと、電気的にインタフェースすることができる。
【０００５】
本技術分野にて現在使用されている接続ポートおよび互換性のあるコネクタの一例は、プラグアンドプレイマルチファイバープッシュオン（ＭＰＯ）レセプタクルであり、これは、光ネットワークに接続するとともに帯域幅および通信速度を加速させるために、クアッド（４チャネル）スモールフォームファクタープラグ着脱式（ＱＳＦＰ）、ＣＸＰ、ＣＤＦＰ、ＣＦＰ２およびＣＦＰ４アクティブ光ケーブルを含む１２ファイバーケーブル等のマルチファイバーケーブルを可能にする。現在、そのようなシステムを使用して、中央局、交換局、データセンター、無線ネットワークコントローラー、ベースステーションコントローラーおよびセルサイトを含む集合住宅（ＭＤＵ）用途およびコアネットワーク用途をサポートしている。
【０００６】
プラグ着脱式光電子デバイスは、光ファイバ通信機器の電子機器と関連してますます使用されている。例えば、プラグ着脱式電子または光電子送受信モジュールが、電子および光電子通信用のホストネットワーキング機器とともにますます使用されている。プラグ着脱式電子または光電子モジュールは、通常、電気信号をプリント回路基板に送信するとともに、電気信号をプリント回路基板から受信することによって、ホストデバイスのプリント回路基板と通信する。次に、これらの電気信号は、ホストデバイスの外側のプラグ着脱式電子モジュールによって、電気信号または光信号として送信される。マルチソースアグリーメント（ＭＳＡ）は、特に、プラグ着脱式電子モジュールの本体寸法を指定している。ＭＳＡへの準拠より、プラグ着脱式電子または光電子モジュールをＭＳＡに従って設計されているホスト機器に差し込むことを可能にする。
【０００７】
プラグ着脱式電子または光電子モジュールに関連する１つの一般的な問題は、対応するホストデバイス内でのモジュールの保持と、対応する電子または光電子モジュール内での電気または光ケーブルの保持とに関する。ホストデバイス内でのプラグ着脱式電子または光電子モジュールの確実かつ正確な保持と、電子または光電子モジュール内での電気または光ケーブルの正確な保持とを容易にするために種々の機構が開発されてきたが、これらの機構は特定の用途で問題を含む可能性がある。特に、これらの不正確な保持機構は、プラグ着脱式電子または光電子モジュールのプリント回路基板とホストデバイスのプリント回路基板との間、あるいは、電気または光ケーブルとプラグ着脱式電子または光電子モジュールとの間の不正確な電気的または光学的な接続をもたらす虞がある。
【０００８】
例えば、多くのプラグ着脱式電子または光電子モジュール保持機構は、いわゆる「バックラッシュ」を、ホストデバイス内のモジュールの位置決め、および、モジュール内のケーブルの位置決めに導入する。「バックラッシュ」とは、ホストデバイス内のプラグ着脱式電子もしくは光電子モジュールの意図しない再位置決め、または、保持機構の動作に起因する、電子または光電子モジュール内の電気または光ケーブルの意図しない再位置決めを指す。「バックラッシュ」は、概して、モジュールプリント回路基板とホストプリント回路基板との間の電気接続の正確さを低下させ、ケーブルとモジュールとの間の電気的または光学的な接続の正確さを低下させる。さらに、多くのホストデバイスは、プラグ着脱式電子または光電子モジュールをホストデバイス内の非制御の特徴部に当接させるように構成されているが、これも、モジュールプリント回路基板とホストプリント回路基板との間の電気接続の正確さを低下させる虞がある。「バックラッシュ」および非制御の特徴部の当接により、プラグ着脱式電子モジュールとホストデバイスとの電気接続の不正確な位置合わせが生じた結果、これらの電気接続における許容不可能な信号損失を生じる可能性がある。
【発明の概要】
【発明が解決しようとする課題】
【０００９】
したがって、既存のアクティブ光ケーブル製品に関連する１つの問題は、既存のアクティブ光ケーブル製品が対応するレセプタクルに容易に差し込みおよび引き抜きされるように概ね設計されているが、外力を分離してそれが光インタフェースを変位させるかまたは光インタフェースに干渉することを防止する安定した光インタフェースを形成することが困難であることである。さらに、ケーブルを送受信モジュールに固定する確実な機械的接続を提供する簡単かつコンパクトなシステムおよび構造を提供し、ケーブルフェルールと送受信レンズとの間の最適なインタフェースを提供することが困難である。ケーブルを確実に取り付けて接続する能力がなければ、送受信モジュールおよびアクティブ光ケーブル製品が効果的かつ効率的に動作可能な製品を提供することが困難である。
【００１０】
本明細書において特許請求される主題は、いずれかの不都合点を解決するか、または、上で記載したような環境においてのみ動作する実施形態に限定されない。むしろ、この背景は、本明細書に記載されるいくつかの実施形態を実施することができる１つの例示的な技術分野を示すためだけに提供されている。
【課題を解決するための手段】
【００１１】
例示的な実施形態は、光電子モジュールに含まれる光インタフェースの係合を維持するように構成されたプラグ着脱式アクティブ光ケーブル製品を含む。プラグ着脱式アクティブ光ケーブル製品は、複数の光ファイバを光インタフェースに接続するレンズ接続部、レンズ接続部を付勢して光インタフェースに接続する圧縮力を加えるようにレンズ接続部および光インタフェースを囲むよう構成されたクリップ、レンズ接続部、光インタフェースおよびクリップを収容する底部シェル、ならびに、レンズ接続部、光インタフェースおよびクリップの筐体を形成するように底部シェルと組み付けられると底部シェルの表面上に配置されるように構成された上側シェルを含む。
【００１２】
別の例示的な実施形態は、一体化されたアクティブ光ケーブルおよび光電子モジュールを含む。一体化されたケーブルおよび光電子モジュールは、ホストデバイスのポートとインタフェースする光インタフェース、複数の光ファイバを光インタフェースに接続するレンズ接続部、レンズ接続部を付勢して光インタフェースに接続する圧縮力を加えるようにレンズ接続部および光インタフェースを囲むよう構成されたクリップ、レンズ接続部、光インタフェースおよびクリップを収容する底部シェル、レンズ接続部、光インタフェースおよびクリップの筐体を形成するように底部シェルと組み付けられると底部シェルの表面上に配置されるように構成された上側シェル、ならびに、ラッチ位置とラッチ解除位置との間で軸を中心に回転するように構成されたラッチ機構であって、ラッチ機構がラッチ位置にあるときはホストデバイスに係合し、ラッチ機構がラッチ解除位置にあるときはホストデバイスと離脱する一対のフォロワアームを備えるラッチ機構を含む。
【００１３】
当業者によって理解されるように、本明細書に記載される実施形態は、リボンファイバと光電子モジュールとの間のより確実な接続を提供するようにアクティブ光ケーブルのリボンファイバを固定する簡単な機械的構造を提供することによって、より信頼性の高いアクティブ光ケーブルを提供する。いくつかの場合、実施形態は、電磁干渉の漏洩がアクティブ光ケーブルから逃げることを阻止することも可能である。他の実施形態は、引き戻しを改善し、ラッチ機構とアクティブ光ケーブルの他の構成要素との間の摩擦を低減し、アクティブ光ケーブル製品の全体的な高さを低減するラッチ機構を含むことができる。
【００１４】
実施形態の目的および利点は少なくとも、特許請求の範囲において特に指摘される要素、特徴および組み合わせによって実現および達成される。
上記の包括的な記載および以下の詳細な記載の双方が、例示および説明であり、特許請求されるような本発明を限定するものではないことを理解されたい。
【００１５】
例示的な実施形態を、添付の図面を使用することによってさらなる具体性および詳細とともに記載および説明する。
【図面の簡単な説明】
【００１６】
【図１Ａ】本発明の第１の実施形態のラッチおよび遮蔽機構の一例であるアクティブ光ケーブルの等角図。
【図１Ｂ】本発明の第１の実施形態のラッチおよび遮蔽機構の一例であるアクティブ光ケーブルの等角図。
【図２】図１Ａ〜図１Ｂに示す第１の実施形態のアクティブ光ケーブルの分解等角図。
【図３Ａ】第１の実施形態のアクティブ光ケーブルのラッチ位置に示される等角図。
【図３Ｂ】第１の実施形態のアクティブ光ケーブルのラッチ解除位置に示される等角図。
【図４】光が光送受信モジュールのレンズを通して第１の実施形態のアクティブ光ケーブルのファイバに伝達される方法を示す断面図。
【図５】上部シェルおよびラッチの無い状態で示す第１の実施形態のアクティブ光ケーブルの等角図。
【図６】第１の実施形態に関連して使用されるクリップの等角図。
【図７】第１の実施形態のアクティブ光ケーブルの断面の上面図。
【図８】第１の実施形態のアクティブ光ケーブルを示す等角分解図。
【図９】第１の実施形態のＥＭＩガスケットおよびＥＭＩペースト位置を示す等角断面図。
【図１０】ＥＭＩペースト、ＥＭＩガスケットおよびＥＭＩテープを収容する第１の実施形態によるアクティブ光ケーブルの上部シェルを示す等角断面図。
【図１１】本発明の第１の実施形態によるアクティブ光ケーブルの上部シェルおよび底部シェルのスロット内部のＥＭＩペーストおよびＥＭＩガスケットを示す断面図。
【図１２】本発明の第１の実施形態によるアクティブ光ケーブルの上部シェルおよび底部シェルのスロット内部のＥＭＩペーストおよびＥＭＩガスケットを示す断面図である。
【発明を実施するための形態】
【００１７】
本開示の特定の実施形態を、添付の図面を参照して記載する。詳細な説明、図面および特許請求の範囲に記載される例示的な実施形態は、限定的であるとは意図されない。本明細書に提示される主題の主旨または範囲から逸脱することなく、他の実施形態を使用することができ、他の変更を行うことができる。本開示の態様は、本明細書に包括的に記載され、図示されるように、多種多様な形態で配置、置換、組み合わせ、分離および設計することができ、これらは全て本明細書に明示される。
【００１８】
本明細書に開示される実施形態は、光学構成要素に関する。より詳細には、いくつかの例示的な実施形態は、光電子モジュールのケーブルコネクタ、ケーブルラッチ機構、および、いずれの外力も光電子モジュールから分離するとともに、フェルールとレンズとの接続が確実であることを保証するケーブル保持設計に関する。本明細書に記載される実施形態は、組み付けを簡略化することによって製造プロセスを簡略化する能力、および、構成要素を修正する能力を含む種々の利点も提供する。さらに、本明細書における実施形態は、既存の製品の全体的なサイズおよび構造を変更することなく実施することが可能である。
【００１９】
例示的な実施形態は、光学エンジンへのマルチファイバーケーブルの係合を維持するように光電子モジュール内に差し込むことができるケーブルコネクタを含む。ケーブルコネクタをマルチレーン光ファイバケーブルの両端に使用する場合、光ケーブルの各端に確実に取り付けられる送受信モジュールを有するアクティブ光ケーブル製品を提供することができる。
【００２０】
実施形態は、光ネットワーク分野で使用される光送受信モジュールおよびアクティブ光ケーブルの文脈に記載されるが、本発明の実施形態を、本明細書に開示される機能が有用であり得る他の分野および動作環境の両方またはいずれかに使用できることが理解される。したがって、本発明の範囲は、本明細書に開示される例示的な実施態様および動作環境に限定されるものと解釈すべきではない。
【００２１】
Ｉ．既存のアクティブ光ケーブルの例示的な態様
図１Ａ〜図１Ｂは、光電子モジュール１９５の一例である一体化されたＱＳＦＰ送受信モジュールを有するＱＳＦＰアクティブ光ケーブル１９０を含む、ＱＳＦＰアクティブ光ケーブル製品１００の等角図である。この例では、光電子モジュール１９５は、ホットプラグ可能であるか、ホストデバイスのプリント回路基板（ＰＣＢ）等のより大きい電子システムに差し込まれるように設計されている。アクティブ光製品１００のハンドルまたはベイリング機構１１２が、光電子モジュール１９５をより大きい電子システムに接続および分離するように、アクティブ光製品１００をより大きい電子システムに接続およびより大きい電子システムから取り外すことを可能にする。しかし、アクティブ光製品１００のハンドルまたはベイリング機構１１２に関連する１つの問題は、ラッチおよび分離力がドライバ１１２に加えられる結果として、アクティブ光ケーブル１００が押しやられ、外力が、アクティブ光ケーブル１００に含まれるリボンファイバ１２０（図２に示す）を介してアクティブ光製品１００の内部構成要素に伝えられる可能性があることである。同様に、何らかの他の力がアクティブ光ケーブル製品１００に加えられる結果として、外力が、アクティブ光製品１００の内部構成要素に伝わる可能性がある。
【００２２】
本明細書に記載される実施形態は、アクティブ光製品１００の内部構成要素に外力が伝わることを防止する機構を提供する。図３Ａ〜図４に関して以下でより十分に記載するように、本明細書に記載される実施形態の利点は、光電子モジュール１９５のレンズとプリント回路基板との間のレンズの位置合わせを確実できることである。さらに、本明細書における実施形態は、光電子モジュール１９５の内部構成要素からのＥＭＩ漏洩を防止するように、ＥＭＩ遮蔽を提供する。
【００２３】
ＩＩ．アクティブ光ケーブル製品の例示的な構造的な態様
まず、１つの実施形態によるアクティブ光ケーブル製品１００の一例を示す図１Ａ〜図１Ｂおよび図２を参照する。上で記載したように、図１Ａ〜図１Ｂは、アクティブ光ケーブル製品１００の等角図であり、一方で、図２は、図１Ａ〜図１Ｂのアクティブ光ケーブル製品１００の分解等角図である。図１Ａ〜図１Ｂおよび図２に示す光電子モジュール製品１００は、光電子モジュール１９５を含む。光電子モジュール１９５の一例は、集積回路間および回路基板間、あるいは集積回路間または回路基板間の高速（例えば２５ギガビット／秒（Ｇｂｐｓ）以上）光相互接続用に設計される。付加的にまたは代替的に、光電子モジュール１９５は、１２個、２４個または他の数量の光チャネルを受け入れるように構成され、これらはそれぞれ、データを通信するように構成される。
【００２４】
光電子モジュール２００は、ホストＰＣＢ（図示せず）に取り付けられると、例えば、ホストデバイスとネットワーク（図示せず）との間でデータを通信するように構成される。光電子モジュール２００は、電気信号を、電気信号を表す光信号に変換することができ、その逆もまた同様である。例えば、光信号の形態のデータは、ネットワークからアクティブ光ケーブル１９０に沿って光電子モジュール１９５まで通信される。光電子モジュール１９５の構成要素（その例を以下に記載する）は、光信号を、光信号を表す電気信号に変換することができる。電気信号は、次に、ホストデバイスに通信される。同様に、ホストデバイスは、電気信号を光電子モジュール１９５に通信することができる。光電子モジュール１９５は、電気信号を、電気信号を表す光信号に変換することができる。光信号は、アクティブ光ケーブ１９０に沿ってネットワーク内に、例えば、別の光電子モジュール１９５まで通信される。
【００２５】
アクティブ光ケーブル製品１００のアクティブ光ケーブル部分１９０は、ＭＴフェルール１２４、フェルールブーツ１２２を含む。フェルールブーツ１２２は複数の光リボンファイバ１２０に接続し、複数の光リボンファイバ１２０は、光リボンファイバ１２０を包囲する保護チューブ１０２に接続される遷移部分１０３を含むケーブルブーツ１０７まで延びる。
【００２６】
当業者によって理解されるように、光リボンファイバ１２０は、保護チューブ１０２内、および、ケーブルブーツ１０７、ＭＴフェルールブーツ１２２、ＭＴフェルール１２４を含むアクティブ光ケーブル部分１９０の他の種々の構成要素内でプラスチック層で個々に被覆される。さらに、プラスチック層および保護チューブ１０２は、アクティブ光ケーブル製品１００が敷設される環境に好適な材料から製造され、本明細書に記載される実施形態は何らかの特定の材料に限定されない。
【００２７】
図２は、本発明の実施形態のラッチ機構１１３も示している。概して言えば、ラッチ機構１１３は、底部シェル１３０および上部シェル１４０からなる組み付けられた本体２００内に収容されるドライバ１１２およびフォロワ１０９および一対のばね１６０を含む。ドライバ１１２およびフォロワ１０９は、金属または成形プラスチックを含む種々の材料を使用して種々の方法で形成することができる。ばね１６０は、コイルばねとして示されているが、ばね１６０の代わりに、例えば、ねじりばねまたは線ばねを用いてもよい。
【００２８】
ドライバ１１２は、ドライバ１１２の突起１１１を、図３Ａおよび図３Ｂに示すようなラッチ位置とラッチ解除位置との間でフォロワ１０９の穴に押し込むことによって、フォロワ１０９に回転可能に取り付けられるように構成されている。より詳細には、図３Ａに示すように、ユーザーは、ドライバ１１２に接続されているフォロワ１０９を、回転軸３１０を介して、矢印で示す方向にラッチ解除位置（図３Ｂに示す）に移動させるために、フォロワ１０９がラッチ位置にあるときに、ドライバ１１２のプルタブ部分１０８を引くことができる。
【００２９】
フォロワ１０９は、上部シェル１４０、底部シェル１３０、プリント回路基板アセンブリ（ＰＣＢＡ）１５０、レンズ１５５、クリップ１４５、および、アクティブ光ケーブル部分１９０を備える組み付けられた本体２００に摺動可能に取り付けられるように構成されている。組み付けられた本体２００の種々の態様を、以下でより十分に記載する。
【００３０】
図２に示すように、フォロワ１０９は、横部分１４４を介して接続されている一対のフォロワアーム１０４および１０５を含む。フォロワアーム１０４および１０５は、ドライバ１１２には面しない斜面１１７を含む。フォロワアーム１０４および１０５は、組み付けられた本体２００の底部シェル１３０の対応するマウンド１３１に摺動可能に係合するように構成された窪み１１０も画定する。より詳細には、窪み１１０は、組み付けられた本体２００の底部シェル１３０の対応するマウンド１３１を収容するように構成された矩形の窓１１６をそれぞれ含む。図３Ａおよび図３Ｂに明確に示すように、矩形の窓１１６は、組み付けられた本体２００の底部シェル１３０の対応するマウント１３１が、フォロワ１０９を組み付けられた本体２００に摺動可能に連結することを可能にするように、ケーブル挿入／取り外し方向により大きい面積を有するように構成されている。組み付け中に、フォロワ１０９のフォロワアーム１０４および１０５は、フォロワアーム１０４および１０５を底部シェル１８０のマウンド１３１にわたって最初に摺動させるために外方に曲がり、次に、マウンド１３１が、フォロワアーム１０４および１０５のそれぞれの矩形の窓１１６内にそれぞれ位置決めされるように、解放される。
【００３１】
フォロワアーム１０４および１０５は、組み付け後に底部シェル１３０の平坦な窪んだ部分１３２内に収容される窪んだ平坦部分１１８もそれぞれ含む。フォロワアーム１０４および１０５は、底部シェル１３０の傾斜部分１３５、ならびに、フォロワアーム１０４および１０５を底部シェル１３０の対応する外面に向けて付勢する付勢力を加えるのに役立つ底部シェル１３０の平坦なスロット１３４に対応するように形成される傾斜した肩部分１１９および平坦な首部分１０６も含む。
【００３２】
図３Ａおよび図３Ｂに示すように、プルタブ１０８が回動されて軸方向に引っ張られると、組み付けられた本体２００に沿うフォロワ１０９の軸方向の摺動が可能となる。図２に示すばね１６０によって生成される付勢力が克服される。例示的なホストデバイス（図示せず）および例示的な光電子モジュール１９５に関連して、例示的なラッチ機構１１３が本明細書において使用されるが、その代わりに、他の電子デバイスおよびホスト機器に関連して例示的なラッチ機構１１３を使用できることが理解される。
【００３３】
ホストデバイスのホストケージへの光電子モジュール製品１００の挿入中に、ラッチ機構１１３のドライバ１１２は、最初に、図３Ｂに示すようなラッチ解除位置にあるものとすることができる。ユーザーは、光電子モジュール製品１００をホストケージ内に挿入するために、ドライバ１１２を把持し、ドライバ１１２を押すことができる。ホストケージ内への光電子モジュール製品１００の挿入中に、フォロワアーム１０４および１０５の斜面１１７、窪み１１０、窪んだ平坦部分１１８、傾斜した肩部分１１９および平坦な首部分１０６は、ホストケージの表面との係合を回避するように位置決めされるとともにその向きにされることが留意される。
【００３４】
光電子モジュール製品１００がホストケージ内に完全に挿入されると、ホストケージの板ばね（図示せず）が通常、フォロワアーム１０４および１０５のそれぞれの窪んだ平坦部分１１８に向けて内側前方に撓む。また、完全に挿入された位置になると、光電子モジュール製品１００のＰＣＢＡ１５０は、ホストコネクタに電気的に接続され、上部シェル１４０にある溝１４１の端部が、光電子モジュール製品１００がホストケージ内にさらに挿入されることを防止するようにハードストップとして機能する。光電子モジュール製品１００のこの完全に挿入された位置を維持することは、ラッチ機構１１３を使用して達成することができる。
【００３５】
光電子モジュール製品１００がホストケージ内およびラッチ位置内に完全に挿入されると、例示的なラッチ機構１１３は、光電子モジュール製品１００をホストケージ内に固定し、ホストコネクタに対して当接される。ホストコネクタに対する光電子モジュール製品１００の当接は、厳密な公差、および、ホストコネクタに対する正確な位置合わせを可能にし、この結果として、光電子モジュール製品１００とホストデバイスとの間の正確な電気的な接続が生じる。
【００３６】
ここで図２を参照すると、組み付けられた本体２００は、一対のねじ１７０または他の連結手段によって一緒に連結される底部シェル１３０および上部シェル１４０を含み、組み付けられた本体２００は、ＰＣＢＡ１５０をその上に取り付けられるレンズ１５５とともに収容する。上記で簡潔に説明したように、上記のラッチ機構１１３の使用に関連する１つの問題は、ドライバ１１２が回動されて引っ張られると、結果としてアクティブ光ケーブル部分１９０が押しのけられる可能性があり、この結果としてさらに、リボンファイバ１２０が、リボンに加えられる力がフェルール１２４に伝達されフェルール１２３とＰＣＢＡ１５０に取り付けられるレンズ１５５との間の接続に干渉する可能性のある、組み付けられた本体２００の内部への力を伝える。本明細書に記載される実施形態は、（図５に関して以下でより十分に記載する）ケーブルブーツ１０７上のアダプタ４１０、レンズ１５５およびフェルール１２４を実質的に囲むように形成されるクリップ１４５を使用することによって、そのような力が伝わることを防止し、レンズ１５５とフェルール１２４との接続を確実にする。
【００３７】
図４は、光がＰＣＢＡ１５０上に取り付けられるレンズ１５５からリボンファイバ１２０内に伝わるプロセスを示している。図４に示すように、ＰＣＢＡ１５０の表面上に結合されるアクティブチップ４５０が、光を伝達し、これが、レンズ１５５（この例では直角結合レンズ）の４５度の鏡面によって反射され、フェルール１２４内に収容されるリボンファイバ１２０に向かう光路４００に沿う内部全反射を伴う。当業者によって理解されるように、レンズ１５５とフェルール１２４との位置合わせおよび接続は、光信号がリボンファイバ１２０に沿って適切に伝達されることを確実にするために必須である。
【００３８】
この接続を確実にするために、図５は、クリップ１４５の使用を示している。図５では、上部シェル１４０は、クリップ１４５およびケーブルブーツ１０７のアダプタ４１０の配置をより明確に表示するために取り外されている。図６は、クリップ１４５の種々の態様を明確に示すように、クリップ１４５のみの等角図である。
【００３９】
図５に示すように、クリップ１４５は、フェルール１２４をレンズ１５５と適切に接続して保持するように、フェルール１２４およびレンズ１５５を実質的に囲むように構成されている。図６を参照すると、クリップ１４５は、フェルールブーツ１２２を覆って嵌まるように成形されるスロット６２５が内部に形成された前側６３５を有する実質的に矩形の形状を有する。この実施形態では、スロット６２５は、湾曲した角部６２７を含むが、湾曲した角部６２７は省いてもよい。前側６３５の内面は、組み付け中にクリップ１４５がアクティブ光ケーブル製品１００に取り付けられるときにフェルールブーツ１２２に面するフェルール１２４の表面に形成される（図２に示すような）フェルール穴１２６に嵌合するように形成される支柱６０５が内部に形成されている。
【００４０】
理解されるように、クリップ１４５は、限定はされないが成形プラスチックを含む、種々の材料から形成することができる。
この例のクリップ１４５の後面６６０は、３つの湾曲した表面６１５、６２０および６２１を含む。より詳細には、後面６６０は、凹状の表面６１５が間に形成された状態でクリップ１４５の内部から外方に膨らむ凸状の表面６２０および６２１を含む。凹状の表面６１５は、クリップ１４５の側面６４０および６５０のそれぞれに形成される突出する斜面６１０とともに、図５および図７に示すように、レンズ１５５にロックまたはクランプする。より詳細には、凹状の表面６１５は、フェルール１２４がレンズ１５５に接続し、突出する斜面６１０がレンズ１５５の対応する側面に形成される凹部１５６（図２に示す）にロックする表面とは反対側のレンズ１５５の表面にロックする。凹状の表面６１５は、フェルール１２４およびレンズ１５５の周りに組み付けられると変形することができるように形成され、組み付けられると、フェルール１２４とレンズとの接続を確実にし、引っ張り、捩れまたは曲げの動きを加えるリボンファイバ１２０によって生じるインタフェースに対して加えられるいかなる力も取り除くように、フェルール１２４をレンズ１５５にきつく保持する圧縮力を加える。
【００４１】
いくつかの実施形態では、レンズ１５５の内部から延びる金属ピン７０５（図２に示す）が、レンズ１５５とフェルール１２４との適切な接続を確実にするように、フェルール１２４内にも延びることができる。
【００４２】
図５および図８も、ケーブルブーツ１０７と、底部シェル１３０および上部シェル１４０を含む組み付けられた本体２００とのより確実な接続を提供する、本明細書に記載される実施形態の別の態様を示している。より詳細には、図８に示すように、ケーブルブーツ１０７は、底部シェル１３０の前面に形成される対応するスロット８１０および８２０内に収容されるように構成された一対の傾斜したプロング８００および８０５を含むアダプタ４１０を含む。図８に示すように、アクティブ光ケーブル製品１００が組み付けられると、アダプタ４１０の傾斜したプロング８００および８０５は、スロット８１０および８２０内にそれぞれ摺動される。当業者によって理解されるように、この実施形態の態様は、リボンファイバ１２０およびケーブル１０１を、底部シェル１３０と上部シェル１４０との間の位置にロックさせる。中間のブーツ４０５が、ケーブルブーツ１０７の一部としてリボンファイバ１２０上に形成され、組み付けられると、中間のブーツ４０５は、底部シェル１３０の対応するハウジング部８４０内に収容される。
【００４３】
アダプタ４１０およびクリップ１４５を使用することによりリボンファイバ１２０をケーブルブーツ１０７とフェルールブーツ１２２との間にロックすることによって、リボンファイバ１２０は固定され、フェルール１２４とレンズ１５５との接続を妨げるようにケーブル１０１に加えられる何らかの外力がアクティブ光ケーブル製品１００の内部に伝えられる可能性が、完全に排除されない場合には低減される。
【００４４】
さらに、クリップ１４５、ラッチ機構１１３およびアダプタ４１０は全て、アクティブ光ケーブル製品１００の構成要素のメンテナンス、修正または試験が必要となる場合には、取り外して容易に分解することが可能である。したがって、実施形態は、必要であれば分解することができる解決策を提供しながらも、確実な接続を有する能力を提供する。
【００４５】
図９〜図１２は、電磁波がアクティブ光ケーブル製品１００の内部から漏出することを防止する能力を含む、実施形態の別の態様を示している。より詳細には、実施形態は、図９に示すような電磁干渉（ＥＭＩ）ガスケット１６５およびＥＭＩペースト１２５を含む。図１２に示すようなＥＭＩテープ９００も使用される。
【００４６】
より詳細には、内部の構成要素をより明確に示すように上部シェル１３０が取り外されている、組み付けられたアクティブ光ケーブル製品１００を示している図９に示すように、本明細書に記載される実施形態は、（図５により明確に示す）底部シェル１３０の平坦化された内部９１０においてリボンファイバ１２０にわたって位置決めされるＥＭＩガスケット１６５を含むことができる。図５および図９に示すように、ＥＭＩペースト１２５は、アクティブ光ケーブル製品１００の内部からのＥＭＩの漏出を防止するように、底部シェル１３０の側壁９２０および内部リブ９１５に沿って形成される。
【００４７】
図１０は、上部シェル１３０が底部シェル１４０に接合されるときにＥＭＩガスケット１６５、ＥＭＩペースト１２５およびＥＭＩテープ９００を圧縮する上部シェル１３０の圧縮特徴部を示すように、上部シェル１３０の内面１０００を示している。内面１０００は、ＥＭＩペースト１２５を収容する各側に形成されるスロット１０１５、ＥＭＩガスケット１６５およびＥＭＩテープ９００を圧縮するリブ１００５を含む。内面１０００は、上部シェル１４０および底部シェル１３０が一緒に組み付けられるときに、図５に示すようにねじ１７０を底部シェル１３０のレセプタクル９３０に向かってガイドするねじハウジング１０２０も含む。
【００４８】
内面１０００は、ケーブルブーツ１０７のアダプタ４１０を定位置にロックすることを助ける底部シェル１３０のスロット８１０および８２０に対応するように形成されるスロット１０１０も含む。
【００４９】
図１１および図１２は、リボンファイバ１２０を実質的に囲んで覆い、リボンファイバ１２０をさらに固定するとともに、アクティブ光ケーブル製品１００の内部において生成される電磁波がアクティブ光ケーブル製品１００の外部に漏出することを防止するように、ＥＭＩガスケット１６５、ＥＭＩペースト１２５およびＥＭＩガスケット１６５が上部シェル１４０と底部シェル１３０との間に形成されるときの、ＥＭＩガスケット１６５、ＥＭＩペースト１２５、ＥＭＩテープ９００を示す断面図である。当業者によって理解されるように、ＥＭＩの漏洩を防止することによって、本明細書における実施形態は、フェルール１２４と光電子モジュール１９５のレンズ１５５とのより確実な接続を提供するようにアクティブ光ケーブル１９０のリボンファイバ１２０を固定するとともに、引き戻しを改善し、ラッチ機構１１３と組み付けられた本体２００との間の摩擦を低減するラッチ機構１１３を使用し、アクティブ光ケーブル製品１００の全体的な高さを低減する、簡単な機械的構造を提供しながらも、ＥＭＩを封じ込めることによってより確実なアクティブ光ケーブル製品１００を提供する。上記で明確に示したように、本明細書に記載される実施形態は、現在の技術によって現在教示または示唆されていない種々の利点を提供する。
【００５０】
記載される実施形態は、あらゆる点で専ら例示的であり、限定的ではないものとして考慮すべきである。したがって、本発明の範囲は、先の記載によってではなく添付の特許請求の範囲によって示される。特許請求の範囲の意図および均等物の範囲内に入る全ての変更は、それらの範囲内に包含すべきである。
【図１Ａ】
2020003797.tif 000003
【図１Ｂ】
2020003797.tif 000004
【図２】
2020003797.tif 000005
【図３Ａ】
2020003797.tif 000006
【図３Ｂ】
2020003797.tif 000007
【図４】
2020003797.tif 000008
【図５】
2020003797.tif 000009
【図６】
2020003797.tif 000010
【図７】
2020003797.tif 000011
【図８】
2020003797.tif 000012
【図９】
2020003797.tif 000013
【図１０】
2020003797.tif 000014
【図１１】
2020003797.tif 000015
【図１２】
2020003797.tif 000016